(57)【要約】【課題】  ゴルフ用マーカーの着脱が容易で、かつ、確実に保持することができるマーカー保持具の提供。【解決手段】  マーカー３を収容する収容部５と、ゴルフボールがグリーンなどに落下した際にできる凹みを修復するのに使用するフォーク７とが一体に形成されている。収容部５には、マーカー３が挿入される穴１３が上方へ開口して形成されている。収容部５の前壁１５には、切欠き１７が形成されており、収容部５の後壁１９の上端部も円弧状の切欠き２７が形成されている。収容部５には、穴１３に挿入されたマーカー３を係止してマーカー３の脱落を防止する板バネ２１が取り付けられている。【選択図】      図２
0003128980.tif 000002
【実用新案登録請求の範囲】
【請求項１】
ゴルフ用マーカーを保持するマーカー保持具であって、
マーカーの厚さよりやや大きい幅の間隙を有する収容部と、
この収容部内に設けられ、挿入されたマーカーの周側面を着脱可能に挟持するバネとを備え、
前記収容部にはマーカーを露出させるマーカー露出部が形成されてなる
ことを特徴とするマーカー保持具。
【請求項２】
前記収容部は、前記間隙を挟んで前壁と後壁とを備え、
該前壁は、マーカー挿入口から挿入方向へ向けて切り欠かれて前記マーカー露出部が形成されている
ことを特徴とする請求項１に記載のマーカー保持具。
【請求項３】
前記収容部には、マーカーの厚さよりやや大きい幅の間隙を有する穴または溝が上方へ開口して設けられると共に、前記間隙にマーカーが挿入された状態において、マーカーの上端部が露出するよう切り欠かれて、マーカー露出部が形成されており、
前記バネは、挿入されたマーカーの周側面を着脱可能に挟持する略Ｃ字形とされると共に、その開放両端部はそれぞれ径方向外側へ屈曲されており、その開口部を上方へ向けた状態で、該バネの中央部が、前記収容部の底部に固定して設けられている
ことを特徴とする請求項１に記載のマーカー保持具。
【請求項４】
前記収容部には、フォーク部が連設して設けられている
ことを特徴とする請求項１から請求項３までのいずれかに記載のマーカー保持具。
【請求項５】
前記収容部の外面には、クリップ部が設けられている
ことを特徴とする請求項１から請求項３までのいずれかに記載のマーカー保持具。
【考案の詳細な説明】
【技術分野】
【０００１】
本考案は、ゴルフ競技中においてグリーン上でゴルフボールの代わりに目印として使用されるマーカーを保持する保持具に関するものである。
【背景技術】
【０００２】
ゴルフ競技中においてグリーン上にゴルフボールが載った場合、他の競技者のために一旦ゴルフボールを取り上げることがあり、この際、ゴルフボールの代わりに目印としてグリーン上にマーカーが置かれる。
マーカーはあまり大きくないことから、ポケットなどにいれて持ち歩く場合、なかなか取り出せない場合や、探し出せない場合があった。
そこで、金属製のマーカーの場合、磁石でマーカーを保持するマーカー保持具が使用されることがある。磁石でマーカーを保持する場合、その取り外しが容易であり、持ち運びも容易である。
【考案の開示】
【考案が解決しようとする課題】
【０００３】
しかしながら、磁石でマーカーを保持する場合、振動や衝撃によりマーカーが磁石から外れてしまうおそれがあり、ひいては、マーカーを紛失するおそれがあった。
【０００４】
本考案が解決しようとする課題は、ゴルフ用マーカーの着脱が容易で、かつ、確実に保持することができるマーカー保持具を提供することにある。
【課題を解決するための手段】
【０００５】
前記課題を解決するために、本考案は、ゴルフ用マーカーを保持するマーカー保持具であって、マーカーの厚さよりやや大きい幅の間隙を有する収容部と、この収容部内に設けられ、挿入されたマーカーの周側面を着脱可能に挟持するバネとを備え、前記収容部にはマーカーを露出させるマーカー露出部が形成されてなることを特徴とするマーカー保持具である。
【０００６】
また、本考案は、好ましくは上記構成に加えて、前記収容部は、前記間隙を挟んで前壁と後壁とを備え、該前壁は、マーカー挿入口から挿入方向へ向けて切り欠かれて前記マーカー露出部が形成されていることを特徴とするマーカー保持具である。
【０００７】
また、本考案は、好ましくは上記構成に加えて、前記収容部には、マーカーの厚さよりやや大きい幅の間隙を有する穴または溝が上方へ開口して設けられると共に、前記間隙にマーカーが挿入された状態において、マーカーの上端部が露出するよう切り欠かれて、マーカー露出部が形成されており、前記バネは、挿入されたマーカーの周側面を着脱可能に挟持する略Ｃ字形とされると共に、その開放両端部はそれぞれ径方向外側へ屈曲されており、その開口部を上方へ向けた状態で、該バネの中央部が、前記収容部の底部に固定して設けられていることを特徴とするマーカー保持具である。
【０００８】
また、本考案は、好ましくは上記構成に加えて、前記収容部には、フォーク部が連設して設けられていることを特徴とするマーカー保持具である。
【０００９】
さらに、本考案は、好ましくは上記構成に加えて、前記収容部の外面には、クリップ部が設けられていることを特徴とするマーカー保持具である。
【考案の効果】
【００１０】
本考案によれば、ゴルフ用マーカーの着脱が容易で、かつ、確実に保持することができるマーカー保持具を提供することができる。
【考案を実施するための最良の形態】
【００１１】
以下、本考案のマーカー保持具の一実施例について、図面に基づき詳細に説明する。
【００１２】
図１は、本考案のマーカー保持具の一実施例を示す斜視図であり、図２は、正面図である。
また、図３は、図２の状態からマーカーを挿入している状態を示しており、一部を断面にして示している。図４は、マーカーを挿入した状態を示す図である。
【００１３】
本実施例のマーカー保持具１は、ゴルフで使用する円形のマーカー、つまりコイン状のマーカー３を保持するものであり、マーカー３を収容する収容部５と、ゴルフボールがグリーンなどに落下した際にできる凹みを修復するのに使用するフォーク７とが一体に形成されている。
【００１４】
収容部５は、略矩形板状とされ、この収容部５から下方へ延出してフォーク７が設けられている。
フォーク７は、収容部５の下端部から下方へ向けて延出する２本の板状部９，９から構成される。この一対の板状部９，９は左右に離間して設けられており、各板状部９は、下方へ行くに従って左右幅および前後幅が共に幅狭に形成されている。なお、収容部５とフォーク７との連接部１１は、左右両端部が若干凹んでいる。
【００１５】
収容部５には、マーカー３が挿入される間隙を有する穴１３が上方へ開口して形成されている。
穴１３は、マーカー３の厚さよりやや大きい幅の間隙を有しており、横断面矩形状とされ、穴１３の上端部（挿入口）の左右幅は、マーカー３の直径より若干大きい。そして、穴１３の下端部は下方へ行くに従って左右幅が徐々に縮幅して、収容部５の穴１３は、縦断面略Ｕ字形に形成されている。また、挿入口の前後幅（厚み）は、マーカー３の厚みより若干大きい。
【００１６】
収容部５の前壁１５には、切欠き１７が形成されてマーカー露出部を構成している。
本実施例では、前壁１５の上面の左右方向中央部から下方へ向けて親指の腹部が嵌まる程度の切欠き１７が形成されており、正面視において略Ｕ字形の切欠き１７が形成されている。そして、この切欠き１７を介して穴１３の内外が連通しており、穴１３に挿入されたマーカー３が視認可能とされる。
【００１７】
さらに、本実施例では、収容部５の後壁１９の上端部も円弧状に切り欠かれている。
【００１８】
収容部５には、穴１３に挿入されたマーカー３を係止してマーカー３の脱落を防止する板バネ２１が取り付けられている。
本実施例の板バネ２１は、金属製の細長い矩形状板片を略Ｃ字形に湾曲して形成されている。また、板バネ２１の開放両端部は、上方に向かうにしたがいしだいに間隔が大きくなるようにそれぞれ径方向外側へ略Ｌ字形に屈曲されており、この板バネ２１の屈曲部２１ａ，２１ａ間の距離、つまり板バネ２１の開口幅は、マーカー３の直径より短い。
【００１９】
板バネ２１の長手方向中央部には、小径の貫通穴２３が形成されている。
また、収容部５の穴１３の底部には、円柱状の突部２５が上方へ突出して形成されている。
そして、収容部５の突部２５が板バネ２１の貫通穴２３に差し込まれ、突部２５の先端が押し潰されてかしめられることで、収容部５に板バネ２１が固定される。
【００２０】
このように、板バネ２１が収容部５に取り付けられた状態では、図２に示すように、板バネ２１の開放両端部が挿入口へ向けて配置されている。
また、図２に示すように、板バネ２１は、収容部５の前壁１５と後壁１９との間の間隙に配置され、正面から視認されない。
【００２１】
このような構成のマーカー保持具１の収容部５に、図３に示すように、マーカー３が挿入されると、板バネ２１が弾性変形して屈曲部２１ａ，２１ａ間が拡幅し、マーカー３が穴１３に挿入される。
なお、本実施例では、板バネ２１の開放両端部が略Ｌ字形に屈曲されて、上方に行くにしたがい拡幅する逆「ハ」の字形に開口していることで、マーカー３の挿入が容易となる。
【００２２】
マーカー３が穴１３に差し込まれた状態では、図４に示すように、板バネ２１の各屈曲部２１ａ，２１ａがマーカー３の上下方向中央より上側部分においてマーカー３の周側面に当接し、板バネ２１はマーカー３を挟持している。
本実施例では、板バネ２１は、少なくともマーカー３の半周以上を囲み、好ましくは外周部の三分の二程度を囲み、マーカー３の周側面を押圧することで、マーカー３の脱落を防止している。
【００２３】
このように、マーカー３が収容部５の穴１３に収容された状態では、マーカー３の表面が前壁１５の切欠き１７からなるマーカー露出部を介して露出しており、マーカー３の後面も、その上端部が後壁１９の切欠き２７からなるマーカー露出部を介して露出している。
よって、収容部５の前壁１５および後壁１９の各切欠き１７，２７を介してマーカー３の上端部を摘むことができる。
収容部５からマーカー３を取り出す場合、マーカー３の上端部を摘んで引き抜くことで、板バネ２１が弾性変形して屈曲部２１ａ，２１ａ間が拡幅することで取り出すことができる。
【００２４】
なお、本実施例では、収容部５の前壁１５は、板バネ２１が隠れる部分を除いて切欠き１７が形成されていることで、マーカー３の表面が盛り上った形状のものでも収容することが可能となる。
また、本実施例では、フォーク７が収容部５と一体に形成されていることで、図５に示すように、フォーク７をグリーンに斜めに差し込んで持ち上げることでグリーンＧにできた凹みを修復することが可能である。
さらに、本実施例では、上述したように、板バネ２１の開口部が逆「ハ」の字形に形成されていることで、図６に示すように、板バネ２１の上端部にマーカー３を載せて、マーカー３を穴１３に差し込まない状態で仮置きすることが可能である。
【００２５】
なお、本実施例のマーカー保持具の収容部およびフォークは、亜鉛合金を鋳造して一体形成されている。
【００２６】
次に、本考案のマーカー保持具の変形例について説明する。
本変形例のマーカー保持具５１は、基本的には上記実施例のマーカー保持具１と同様の構成であるので、異なる部分を中心に説明し、上記実施例と同じ部分および部材には同じ符合を付して説明する。
図７は、本考案のマーカー保持具の変形例を示す正面図であり、図８は同背面図、図９は同縦断面図である。
【００２７】
本変形例のマーカー保持具５１は、収容部５の下端部が、下方へ行くに従って徐々に左右幅が縮幅して形成されており、収容部５は略逆三角形状とされている。
【００２８】
そして、収容部５には、上記実施例と同様に、マーカー３が挿入される穴１３が形成されており、収容部５には板バネ２１が設けられている。
【００２９】
本変形例のマーカー保持具５１では、収容部５の後壁１９の外面にクリップ５３が設けられている。
具体的には、クリップ５３は、弾性を有する金属製の矩形状板片が折り返されて形成されており、この一片５５が後壁１９の外面に沿って配置されて固定されている。そして、クリップの他片５７は一片５５より下方へ延出して後壁１９の外面に近接しており、その下端部は若干外方へ屈曲されている。
【００３０】
本変形例のマーカー保持具５１は、上記実施例のマーカー保持具１と同様にマーカー３を保持することが可能である。
また、クリップ５３が設けられていることで、帽子のつばや、ズボンのポケットをクリップ５３の一片５５と他片５７との間に挟みこむことで取り付けることができ、持ち運びが便利となる。
【００３１】
本考案のマーカー保持具は、上記実施例の構成に限らず適宜変更可能である。
たとえば、上記実施例では、板バネは、一枚の金属板により構成されたが、マーカーの周側面を押圧して保持する構成であれば、二枚以上の金属板により構成されてもよい。
また、収容部は、マーカーを収容し得る間隙を有している前壁と後壁とからなり、溝の形状に形成されていてもよい。
【図面の簡単な説明】
【００３２】
【図１】本考案のマーカー保持具の一実施例を示す斜視図である。
【図２】図１のマーカー保持具の正面図である。
【図３】図２の状態からマーカーを挿入している状態を示す図である。
【図４】図３の状態からさらにマーカーを挿入している状態を示す図である。
【図５】図１のマーカー保持具のフォークで、グリーンの凹みを修復している状態を示す図である。
【図６】図１のマーカー保持具にマーカーを仮置きしている状態を示す図である。
【図７】本考案のマーカー保持具の変形例を示す正面図である。
【図８】図７のマーカー保持具の背面図である。
【図９】図７のマーカー保持具の縦断面図である。
【符号の説明】
【００３３】
１  マーカー保持具
３  マーカー
５  収容部
７  フォーク
１３  穴
１５  前壁
１７  切欠き
１９  後壁
２１  板バネ
２１ａ  屈曲部
２７  切欠き
５１  マーカー保持具
５３  クリップ
【図１】
0003128980.tif 000003
【図２】
0003128980.tif 000004
【図３】
0003128980.tif 000005
【図４】
0003128980.tif 000006
【図５】
0003128980.tif 000007
【図６】
0003128980.tif 000008
【図７】
0003128980.tif 000009
【図８】
0003128980.tif 000010
【図９】
0003128980.tif 000011